(57)【特許請求の範囲】
【請求項１】
画像を撮像して画像情報を生成する撮像手段と、
前記撮像手段により生成された前記画像情報を記録する記録手段と、
前記記録手段に記録された前記画像情報により示される画像を表示する表示手段と、
前記画像情報の複製作成及び前記画像の前記表示手段による表示の少なくとも一方の実行時に前記画像情報により示される画像に対し電子ズームを施す場合において、少なくとも当該電子ズームのズーム倍率を示す倍率情報が含まれたズーム情報を入力するズーム情報入力手段と、
を備えた情報記録装置であって、
前記撮像手段として、前記画像情報により示される画像の水平方向及び垂直方向の各画素数が前記表示手段による表示画素数より多いものが適用されており、
前記ズーム倍率を、前記撮像手段により生成された画像情報により示される画像の水平方向及び垂直方向の各画素数と、前記表示手段の水平方向及び垂直方向の各画素数との比に基づいて決定される拡大倍率上限値以下となるように制限する制限手段
を備えた情報記録装置。
【請求項２】
前記画像を動画像とし、かつ前記ズーム情報入力手段は、前記表示手段により前記動画像が表示された状態で、前記画像情報の複製作成及び前記動画像の次回以降の前記表示手段による表示の少なくとも一方の実行時に前記動画像に対し電子ズームを施す場合において、当該電子ズームを施したい画像が前記表示手段により表示されたときに操作されることによって前記ズーム情報を入力すると共に、
前記表示手段により前記動画像が表示された状態で、前記画像情報の複製作成及び前記動画像の次回以降の前記表示手段による表示の少なくとも一方の実行時における当該実行を開始したい画像が前記表示手段により表示されたときと、当該実行を終了したい画像が前記表示手段により表示されたときとに操作される編集操作手段と、
前記ズーム情報入力手段に対する操作に基づいて、前記電子ズームを施したい画像の前記画像情報における位置を示すズーム位置情報、及び当該画像に対するズーム倍率を示す倍率情報を記録すると共に、前記編集操作手段に対する操作に基づいて、前記実行を開始したい画像の前記画像情報における位置を示す編集開始位置情報、及び前記実行を終了したい画像の前記画像情報における位置を示す編集終了位置情報を記録する情報記録手段と、
を更に備えた請求項１記載の情報記録装置。
【請求項３】
前記画像情報における前記編集開始位置情報により示される画像から前記編集終了位置情報により示される画像までの各画像に対応する画像情報を外部に送信する送信手段
を更に備えた請求項２記載の情報記録装置。
【発明の詳細な説明】
【０００１】
【発明の属する技術分野】
本発明は、情報記録装置に係り、特に、撮像によって得られた画像情報を記録する情報記録装置に関する。
【０００２】
【従来の技術及び発明が解決しようとする課題】
従来、液晶ディスプレイ等の表示手段を備えたデジタルスチルカメラやデジタルビデオカメラ等のデジタルカメラとして、撮影によって記録された画像データにより示される画像を電子ズームにより拡大ないし縮小して表示手段に表示できるものがあった。
【０００３】
しかしながら、この種のデジタルカメラでは、画像を電子ズームにより拡大表示するとき、拡大前の画像領域を構成する画素数が表示手段の画素数、すなわち拡大後の画素数より少ない場合は、実際には存在しない画素の画像データを補間により生成しており、拡大倍率が大きくなるほど表示された画像の画質が劣化する、という問題点があった。
【０００４】
また、この種のデジタルカメラにおいて、前述の電子ズームにより表示画像を拡大ないし縮小する技術を応用して、撮影によって記録された画像データをダビング（複製作成）するときに当該画像データにより示される画像を電子ズームにより拡大ないし縮小する技術も考えられるが、この技術においても同様に、拡大倍率が大きくなるほどダビングによって得られた画像データにより表示される画像の画質が劣化する、という問題点が生じることになる。
【０００５】
本発明は、上記問題点を解消するためになされたものであり、表示画像の画質の劣化を防止することができる情報記録装置を提供することを目的とする。
【０００６】
【課題を解決するための手段】
上記目的を達成するために、請求項１記載の情報記録装置は、画像を撮像して画像情報を生成する撮像手段と、前記撮像手段により生成された前記画像情報を記録する記録手段と、前記記録手段に記録された前記画像情報により示される画像を表示する表示手段と、前記画像情報の複製作成及び前記画像の前記表示手段による表示の少なくとも一方の実行時に前記画像情報により示される画像に対し電子ズームを施す場合において、少なくとも当該電子ズームのズーム倍率を示す倍率情報が含まれたズーム情報を入力するズーム情報入力手段と、を備えた情報記録装置であって、前記撮像手段として、前記画像情報により示される画像の水平方向及び垂直方向の各画素数が前記表示手段による表示画素数より多いものが適用されており、前記ズーム倍率を、前記撮像手段により生成された画像情報により示される画像の水平方向及び垂直方向の各画素数と、前記表示手段の水平方向及び垂直方向の各画素数との比に基づいて決定される拡大倍率上限値以下となるように制限する制限手段を備えている。
【０００７】
請求項１に記載の情報記録装置によれば、撮像手段により画像が撮像されて画像情報が生成され、生成された画像情報が記録手段により記録される。なお、上記記録手段としては、スマート・メディア（SmartMedia(R)）、コンパクト・フラッシュ（CompactFlash）、ＡＴＡ（AT Attachment）カード、マイクロドライブ、フロッピィディスク、ＣＤ−Ｒ（Compact Disc-Recordable）、ＣＤ−ＲＷ（Compact Disc-ReWritable）、光磁気ディスク、磁気テープ等の可搬型記録媒体やハードディスク等の固定記録媒体、ＲＡＭ（Random Access Memory）、ＥＥＰＲＯＭ（Electrically Erasable and Programmable Read Only Memory）、フラッシュＥＥＰＲＯＭ（Flash EEPROM）等の記憶素子、或いはネットワーク接続されたサーバ・コンピュータ等に設けられた外部記憶装置等を用いることができる。
【０００８】
一方、本発明では、記録手段に記録された画像情報の複製作成及び当該画像情報により示される画像の表示手段による表示の少なくとも一方の実行時に当該画像に対し電子ズームを施す場合には、ズーム情報入力手段により、少なくとも当該電子ズームのズーム倍率を示す倍率情報が含まれたズーム情報が入力される。なお、上記表示手段には、液晶ディスプレイ、プラズマディスプレイ、有機ＥＬ（Electro-Luminescence）ディスプレイ、ブラウン管ディスプレイ等の各種ディスプレイが含まれる。
【０００９】
ここで、本発明では、撮像手段として、前記画像情報により示される画像の水平方向及び垂直方向の各画素数が、前記表示手段による表示画素数より多いものが適用されると共に、上記ズーム倍率が、撮像手段により生成された画像情報により示される画像の水平方向及び垂直方向の各画素数と、前記表示手段の水平方向及び垂直方向の各画素数との比に基づいて決定される拡大倍率上限値以下となるように制限手段によって制限される。
【００１０】
すなわち、前述のように、画像を電子ズームにより拡大して表示したり、複製作成を行ったりするとき、拡大前の画像領域を構成する画素数が拡大後の画素数より少ない場合は、実際には存在しない画素の画像データを補間により生成する必要があるので、ズーム倍率が大きくなるほど表示された画像の画質が劣化することになる。
【００１１】
そこで、本発明では、撮像手段として、前記画像情報により示される画像の水平方向及び垂直方向の各画素数が前記表示手段による表示画素数より多いものを適用することにより、電子ズームによる拡大前の画像領域を構成する画素数を拡大後の画像の画素数より多くすることを可能にすると共に、ズーム倍率を撮像手段により生成された画像情報により示される画像の水平方向及び垂直方向の各画素数と、表示手段の水平方向及び垂直方向の各画素数との比に基づいて決定される拡大倍率上限値以下となるように制限することにより、上記画質の劣化を防止するようにしている。
【００１２】
ここで、上記拡大倍率上限値として、撮像手段により生成された画像情報により示される画像の水平方向の画素数を電子ズームが施された後の画像の水平方向の画素数で除算して得られた値と、撮像手段により生成された画像情報により示される画像の垂直方向の画素数を電子ズームが施された後の画像の垂直方向の画素数で除算して得られた値と、の小さい方の値（等しい場合は当該値）を適用すれば、補間処理を行うことなく画素単位の間引きのみによって電子ズーム処理後の画像情報を得ることができ、最適である。
【００１３】
しかしながら、電子ズーム処理後の画像の画素数が比較的多い場合は、若干の画素補間処理を施しても電子ズーム処理後の画像の画質に大きな影響を及ぼさない場合がある。このような場合には、拡大倍率上限値を上記で最適とした値より若干大きな値としてもよい。
【００１４】
例えば、撮像手段により生成された画像情報により示される画像の水平方向及び垂直方向の各画素数を１２８０画素及び９６０画素とし、電子ズームが施された後の画像の水平方向及び垂直方向の各画素数を６４０画素及び４８０画素（ＶＧＡ（Video Graphics Array）サイズの画素数。）としたときの拡大倍率上限値の上記で最適とした値は２倍（＝１２８０／６４０＝９６０／４８０）であるが、本発明者による検討の結果、この場合の拡大倍率上限値を２．５倍程度（最適値の２５％増程度）としても視覚的に画質の劣化が認められなかったことから、この場合の拡大倍率上限値として当該値を適用してもよい。
【００１５】
なお、本発明の画像には、静止画像の他、動画像も含まれる。本発明の画像が静止画像である場合においてズーム情報入力手段により入力される倍率情報は当該画像に関するものとなることは言うまでもないが、本発明の画像が動画像である場合における倍率情報は、当該動画像における一部画像（１画像も含む。）又は全画像に関するものとなる。従って、本発明の画像が動画像である場合の制限手段によるズーム倍率の制限は、ズーム情報入力手段により入力された全ての倍率情報に対して課されることになる。
【００１６】
このように、請求項１に記載の情報記録装置によれば、撮像手段として、当該撮像手段により生成された画像情報により示される画像の水平方向及び垂直方向の各画素数が表示手段による表示画素数より多いものを適用すると共に、画像情報の複製作成及び当該画像情報により示される画像の表示手段による表示の少なくとも一方の実行時に画像に対して施す電子ズームのズーム倍率を、撮像手段により生成された画像情報により示される画像の水平方向及び垂直方向の各画素数と、表示手段の水平方向及び垂直方向の各画素数との比に基づいて決定される拡大倍率上限値以下となるように制限しているので、表示画像の画質の劣化を防止することができる。
【００１７】
ところで、従来、動画再生装置及び録画装置を用いて動画像の画像情報の一部区間を電子ズームにより拡大ないし縮小しつつダビング（複製作成）する場合、録画装置を録画スタンバイ状態にしておき、動画再生装置によって上記画像情報を再生し、この再生された画像を参照しながらダビングを開始したいシーンとなった時点で録画装置の録画スタンバイ状態を解除して録画を開始した後、電子ズーム処理を施したいシーンが再生されているときに動画再生装置に対して当該電子ズーム処理の実行のための操作を行い、ダビングを終了したいシーンとなった時点で録画装置を再び録画スタンバイ状態にして録画を終了する、といった一連の操作が必要であり、操作が繁雑で時間がかかるものであった。
【００１８】
同様に、従来、動画再生装置を用いて動画像の画像情報の一部区間を電子ズームにより拡大ないし縮小しつつ再生する場合、動画再生装置において上記画像情報の早送り再生や早戻し再生を行い、この再生された画像を参照しながら所望のシーンを探し出して通常速度による再生を開始し、電子ズーム処理を施したいシーンが再生されているときに当該電子ズーム処理の実行のための操作を行う、といった一連の操作が必要であり、操作が繁雑で時間がかかるものであった。
【００１９】
これらの点に鑑み、請求項２記載の情報記録装置は、請求項１に記載の発明において、前記画像を動画像とし、かつ前記ズーム情報入力手段は、前記表示手段により前記動画像が表示された状態で、前記画像情報の複製作成及び前記動画像の次回以降の前記表示手段による表示の少なくとも一方の実行時に前記動画像に対し電子ズームを施す場合において、当該電子ズームを施したい画像が前記表示手段により表示されたときに操作されることによって前記ズーム情報を入力すると共に、前記表示手段により前記動画像が表示された状態で、前記画像情報の複製作成及び前記動画像の次回以降の前記表示手段による表示の少なくとも一方の実行時における当該実行を開始したい画像が前記表示手段により表示されたときと、当該実行を終了したい画像が前記表示手段により表示されたときとに操作される編集操作手段と、前記ズーム情報入力手段に対する操作に基づいて、前記電子ズームを施したい画像の前記画像情報における位置を示すズーム位置情報、及び当該画像に対するズーム倍率を示す倍率情報を記録すると共に、前記編集操作手段に対する操作に基づいて、前記実行を開始したい画像の前記画像情報における位置を示す編集開始位置情報、及び前記実行を終了したい画像の前記画像情報における位置を示す編集終了位置情報を記録する情報記録手段と、を更に備えたものである。
【００２０】
請求項２に記載の情報記録装置によれば、本発明に係る画像が動画像であるとき、表示手段によって上記動画像が表示された状態で、上記画像情報の複製作成及び上記動画像の次回以降の表示手段による表示の少なくとも一方の実行時に当該動画像に対し電子ズームを施す場合において当該電子ズームを施したい画像が表示手段により表示されたときにズーム情報入力手段が操作されることによって本発明のズーム情報が入力される。この場合のズーム情報入力手段には、押圧操作、スライド操作、傾倒操作等を行うことができる各種スイッチ、ボタンの他、接触センサ等の各種センサも含まれる。
【００２１】
また、請求項２に記載の発明では、表示手段により上記動画像が表示された状態で、上記画像情報の複製作成及び上記動画像の次回以降の表示手段による表示の少なくとも一方の実行時における当該実行を開始したい画像が表示手段により表示されたときと、当該実行を終了したい画像が表示手段により表示されたときとに編集操作手段が操作される。ここで、上記編集操作手段には、押圧操作、スライド操作、傾倒操作等を行うことができる各種スイッチ、ボタンの他、接触センサ等の各種センサも含まれる。
【００２２】
そして、本発明では、情報記録手段により、ズーム情報入力手段に対する操作に基づいて、電子ズームを施したい画像の上記画像情報における位置を示すズーム位置情報、及び当該画像に対するズーム倍率を示す倍率情報が記録されると共に、編集操作手段に対する操作に基づいて、上記実行を開始したい画像の上記画像情報における位置を示す編集開始位置情報、及び上記実行を終了したい画像の上記画像情報における位置を示す編集終了位置情報が記録される。
【００２３】
すなわち、本発明では、表示手段により画像情報によって示される動画像が表示された状態で、当該表示画像を参照しながら、複製作成及び次回以降の表示手段による表示の少なくとも一方の実行時に上記動画像に対し電子ズームを施す場合において当該電子ズームを施したい画像をズーム情報入力手段の操作により指定すると共に、複製作成及び次回以降の表示手段による表示の少なくとも一方の実行時における当該実行を開始したい画像と当該実行を終了したい画像を編集操作手段の操作により指定するようにしており、これによって操作を簡易化するようにしている。
【００２４】
また、本発明では、ズーム情報入力手段の操作により指定された画像の画像情報における位置を示す情報及び当該画像に対するズーム倍率を示す情報と、編集操作手段の操作により指定された画像の画像情報における位置を示す情報とを記録するようにしており、これによって当該画像情報の複製作成及び次回以降の表示手段による表示の少なくとも一方の実行時には、記録した情報を利用して電子ズーム処理を伴う当該実行を行うことにより、短時間に動画像の画像情報における一部区間の電子ズーム処理を伴う複製作成及び表示の少なくとも一方を行うことができるようにしている。
【００２５】
このように、請求項２に記載の情報記録装置によれば、請求項１記載の発明と同様の効果を奏することができると共に、表示手段により画像情報によって示される動画像が表示された状態で、当該画像情報の複製作成及び上記動画像の次回以降の表示手段による表示の少なくとも一方の実行時に上記動画像に対し電子ズームを施す場合において当該電子ズームを施したい画像が表示手段により表示されたときに操作されるズーム情報入力手段に対する操作に基づいて、電子ズームを施したい画像の画像情報における位置を示すズーム位置情報、及び当該画像に対するズーム倍率を示す倍率情報を記録すると共に、表示手段により上記動画像が表示された状態で、上記画像情報の複製作成及び上記動画像の次回以降の表示手段による表示の少なくとも一方の実行時における当該実行を開始したい画像が表示手段により表示されたときと、当該実行を終了したい画像が表示手段により表示されたときとに操作される編集操作手段に対する操作に基づいて、上記実行を開始したい画像の画像情報における位置を示す編集開始位置情報、及び上記実行を終了したい画像の画像情報における位置を示す編集終了位置情報を記録しているので、簡易な操作で短時間に動画像の画像情報における一部区間の電子ズームを伴う複製作成及び表示の少なくとも一方を行うことができる。
【００２６】
更に、請求項３記載の情報記録装置は、請求項２に記載の発明において、前記画像情報における前記編集開始位置情報により示される画像から前記編集終了位置情報により示される画像までの各画像に対応する画像情報を外部に送信する送信手段を更に備えたものである。
【００２７】
請求項３に記載の情報記録装置によれば、画像情報における編集開始位置情報により示される画像から編集終了位置情報により示される画像までの各画像に対応する画像情報が送信手段によって外部に送信される。従って、外部では、当該送信手段により送信された画像情報を受信することによって当該画像情報の複製作成及び当該画像情報により示される画像の表示の少なくとも一方を実行することができる。
【００２８】
なお、上記送信手段による送信には、有線送信の他、無線送信も含まれる。ここで、上記有線送信には、ＵＳＢ（Universal Serial Bus）による送信、ＩＥＥＥ（Institute of Electrical and Electronics Engineers）１３９４による送信等が含まれ、上記無線送信には、ブルートゥース（Bluetooth）等の電波による送信、ＩｒＤＡ（Infrared Data Association）等の赤外線による送信等が含まれる。
【００２９】
このように、請求項３に記載の情報記録装置によれば、請求項２記載の発明と同様の効果を奏することができると共に、画像情報における編集開始位置情報により示される画像から編集終了位置情報により示される画像までの各画像に対応する画像情報を外部に送信しているので、外部において当該画像情報の複製作成及び当該画像情報により示される画像の表示の少なくとも一方を実行することができる。
【００３０】
なお、請求項１乃至請求項３の何れか１項に記載の発明の好適な態様（以下、「第１態様」という。）として、前記撮像手段による画像の撮像を実行しているとき、当該撮像によって得られた画像情報により示される画像を拡大ないし縮小する場合に操作される撮影ズーム操作手段を更に備え、前記ズーム情報入力手段を、前記撮影ズーム操作手段と兼用するようにしたものが挙げられる。
【００３１】
本第１態様によれば、撮像手段による画像の撮影を実行しているとき、当該撮像によって得られた画像情報により示される画像を拡大ないし縮小する場合に撮影ズーム操作手段が操作される。すなわち、本第１態様における撮影ズーム操作手段は、一例として本発明をデジタルスチルカメラやデジタルビデオカメラ等のデジタルカメラに適用した場合のズームボタンに相当する。
【００３２】
ここで、本第１態様では、請求項１乃至請求項３の何れか１項に記載の発明におけるズーム情報入力手段を上記撮影ズーム操作手段と兼用するようにしており、これによって撮影時におけるズーム操作と同様の操作でズーム情報を入力することができ、操作性が向上できると共に、ズーム情報入力手段を設けるために要するコストを削減することができる。
【００３３】
このように、本第１態様によれば、請求項１乃至請求項３の何れか１項に記載の発明と同様の効果を奏することができると共に、撮像手段による撮像を実行しているとき、当該撮像によって得られた画像情報により示される画像を拡大ないし縮小する場合に操作される撮影ズーム操作手段を更に備え、請求項１乃至請求項３の何れか１項記載の発明のズーム情報入力手段を撮影ズーム操作手段と兼用するようにしたので、操作性が向上でき、かつ低コスト化できる。
【００３４】
また、請求項２又は請求項３記載の発明の好適な態様（以下、「第２態様」という。）として、前記画像を撮影するときに操作される撮影操作手段を更に備え、前記編集操作手段を、前記撮影操作手段と兼用するようにしたものが挙げられる。
【００３５】
本第２態様によれば、画像を撮影するときに撮影操作手段が操作される。すなわち、本第２態様における撮影操作手段は、一例として本発明をデジタルスチルカメラやデジタルビデオカメラ等のデジタルカメラに適用した場合のレリーズボタン（所謂、シャッター）に相当する。
【００３６】
ここで、本第２態様では、請求項２又は請求項３に記載の発明における編集操作手段を上記撮影操作手段と兼用するようにしており、これによって動画像の撮影時と同様の操作で編集開始位置情報及び編集終了位置情報を記録することができ、操作性が向上できると共に、編集操作手段を設けるために要するコストを削減することができる。
【００３７】
このように、本第２態様によれば、請求項２又は請求項３に記載の発明と同様の効果を奏することができると共に、画像を撮影するときに操作される撮影操作手段を更に備え、編集操作手段を撮影操作手段と兼用するようにしたので、操作性が向上でき、かつ低コスト化できる。
【００３８】
また、請求項１乃至請求項３の何れか１項に記載の発明の好適な態様（以下、「第３態様」という。）として、前記画像情報の複製作成の実行時に、当該画像情報から対応するズーム倍率で拡大又は縮小される領域の画像情報であるズーム領域画像情報を切り出す切出手段と、前記ズーム領域画像情報に対して対応するズーム倍率での拡大又は縮小を行うズーム実行手段と、を更に備えたものが挙げられる。
【００３９】
本第３態様によれば、請求項１乃至請求項３の何れか１項記載の発明において、画像情報の複製作成の実行時に、当該画像情報から対応するズーム倍率で拡大又は縮小される領域の画像情報であるズーム領域画像情報が切出手段により切り出され、切り出されたズーム領域画像情報に対して当該ズーム倍率での拡大又は縮小がズーム実行手段により行われる。
【００４０】
従って、画像情報の複製を作成する装置が外部装置である場合、当該外部装置が上記ズーム領域画像情報を切り出し、切り出したズーム領域画像情報に対して拡大処理又は縮小処理を施す場合に比較して、当該外部装置に対する処理上の負荷を低減することができる。
【００４１】
このように、本第３態様によれば、請求項１乃至請求項３の何れか１項に記載の発明と同様の効果を奏することができると共に、画像情報の複製作成の実行時に、当該画像情報から対応するズーム倍率で拡大又は縮小される領域の画像情報であるズーム領域画像情報を切り出し、切り出したズーム領域画像情報に対して当該ズーム倍率での拡大又は縮小を行っているので、画像情報の複製作成を外部装置で行う場合の当該外部装置に対する処理上の負荷を低減することができる。
【００４２】
【発明の実施の形態】
以下、図面を参照して、本発明の実施の形態について詳細に説明する。なお、本実施の形態では、本発明の情報記録装置を、デジタルカメラに適用した場合の形態について説明する。まず、図１（Ａ）を参照して、本実施の形態に係るデジタルカメラ１０の外観上の構成を説明する。
【００４３】
同図に示すように、デジタルカメラ１０の正面には、被写体像を結像させるためのレンズ１２と、セルフタイマ機能を用いて撮影を行うときの撮影タイミングの到来を点滅間隔により報知するセルフタイマＬＥＤ４４と、撮影する被写体の構図を決定するために用いられるファインダ４６と、が備えられている。
【００４４】
また、デジタルカメラ１０の側面には、デジタルカメラ１０用の不図示のＡＣアダプタを接続するためのＤＣ端子４２が備えられており、デジタルカメラ１０の上面には、撮影を実行する際にユーザによって押圧操作されるレリーズボタン（所謂シャッター）３０Ａと、電源スイッチ５２と、が備えられている。
【００４５】
なお、本実施の形態に係るレリーズボタン３０Ａは、中間位置まで押下される状態（以下、「半押し状態」という。）と、当該中間位置を超えた最終押下位置まで押下される状態（以下、「全押し状態」という。）と、の２段階の押圧操作が可能なように構成されている。
【００４６】
また、本実施の形態に係るデジタルカメラ１０は、静止画像の撮影の他、動画像の撮影も行うことができるように構成されており、静止画像の撮影を行う際には、レリーズボタン３０Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００４７】
これに対し、動画像の撮影を行う際には、レリーズボタン３０Ａを全押し状態とすることによって動画像の撮影が開始され、レリーズボタン３０Ａの押下状態を一旦未押下位置まで戻した後、再度全押し状態とすることによって当該動画像の撮影が停止されるように構成されている。このように、本実施の形態に係るデジタルカメラ１０では、動画像の撮影を開始するときにレリーズボタン３０Ａを全押し状態とし、当該撮影を停止するときに再度レリーズボタン３０Ａを全押し状態とするものであるが、これに限らず、レリーズボタン３０Ａを全押し状態としている期間中に動画像の撮影を行う形態とすることもできる。
【００４８】
一方、デジタルカメラ１０の背面には、前述のファインダ４６の接眼部と、撮影によって得られたデジタル画像データにより示される被写体像や各種メニュー画面、メッセージ等を表示するための液晶ディスプレイ（以下、「ＬＣＤ」という。）５０と、撮影によって得られたデジタル画像データにより示される被写体像をＬＣＤ５０に表示（再生）するモードである再生モードに設定するときに操作される再生スイッチ３０Ｄと、撮影を行うモードである撮影モードに設定するときに操作される撮影スイッチ３０Ｅと、ＬＣＤ５０の表示領域における上下左右の４方向の移動方向を示す４つの矢印キーが設けられた十字カーソルボタン３０Ｂと、撮影時に被写体像のズーミング（拡大及び縮小）を行うときに操作されるズームボタン３０Ｃと、が備えられている。なお、ズームボタン３０Ｃは、同図の‘Ｔ’の位置に対応し、かつ被写体像を拡大するときに操作されるテレ・ボタンと、同図の‘Ｗ’の位置に対応し、かつ被写体像を縮小するときに操作されるワイド・ボタンと、により構成されている。また、撮影スイッチ３０Ｅは、撮影モードに設定する役割りの他、静止画像及び動画像の何れの撮影を行うかを設定する役割りも有している。
【００４９】
一方、デジタルカメラ１０の底面には、外部装置と所定のインタフェース規格（本実施の形態では、ＵＳＢ）により接続するために用いられるレセプタクル４０が設けられている。なお、デジタルカメラ１０のグリップ部には、ＡＣアダプタが接続されていない状態において、各部に電源電力を供給する充電電池３４が内蔵されている。
【００５０】
次に、図１（Ｂ）を参照して、デジタルカメラ１０をパーソナル・コンピュータ（以下、「ＰＣ」という。）、ＰＤＡ（Personal Digital Assistant、携帯情報端末）等の外部装置に簡易に接続するために用いられるクレードル６０を用いて、デジタルカメラ１０と外部装置（ここでは、ＰＣ８０）とを接続したときの状態について説明する。
【００５１】
同図に示すように、本実施の形態に係るクレードル６０には、当該クレードル６０を介して外部装置に接続する際にデジタルカメラ１０が挿入されるカメラ挿入部６１が設けられており、カメラ挿入部６１の内部底面には、デジタルカメラ１０に設けられたレセプタクル４０の接続端子に対応するクレードルコネクタ６２が配設されている。
【００５２】
デジタルカメラ１０をクレードル６０に装着する際には、デジタルカメラ１０を、底面を下向きとして同図矢印Ａ方向に挿入する。これによって、デジタルカメラ１０のレセプタクル４０の接続端子がクレードルコネクタ６２に接続される。一方、クレードル６０と外部装置との間は上記所定のインタフェース規格（本実施の形態では、ＵＳＢ）に対応したＵＳＢケーブル７２で接続される。これにより、クレードル６０に装着されたデジタルカメラ１０は、外部装置との間で上記所定のインタフェース規格に準じて相互通信することができる。
【００５３】
更に、クレードル６０には、クレードル６０用の不図示のＡＣアダプタが接続された状態で押圧操作されることにより、電源電力の供給／遮断を切り替える電源スイッチ６４と、クレードル６０に装着されたデジタルカメラとクレードル６０に接続された外部装置との間で通信が行われているときに点灯される通信ＬＥＤ６６と、が備えられている。
【００５４】
なお、以下では、デジタルカメラ１０にクレードル６０を介して接続する外部装置として、各種情報を記録することができる外部メディア８２（本実施の形態では、スマート・メディア）が装着され、かつ各種情報を表示する表示部８４（本実施の形態では、液晶ディスプレイ）を備えたＰＣ８０を適用した場合について説明する。
【００５５】
また、本実施の形態では、デジタルカメラ１０に装着された後述する記録メディア２６（図２参照、図１では図示省略。）に対して撮影により記録された画像ファイルをダビングするとき、クレードル６０を介してＰＣ８０の外部メディア８２にダビングする場合について説明する。
【００５６】
次に、図２を参照して、本実施の形態に係るデジタルカメラ１０の電気系の構成を説明する。
【００５７】
同図に示すように、デジタルカメラ１０は、前述のレンズ１２を含んで構成された光学ユニット１４と、レンズ１２の光軸後方に配設されたＣＣＤ（Charge Coupled Device）１６と、入力されたアナログ画像信号をデジタル画像データに変換するアナログ／デジタル変換器（以下、「Ａ／Ｄ変換器」という。）１８と、所定容量のラインバッファを内蔵すると共に入力されたデジタル画像データに対して所定のデジタル信号処理を施す一方、ＬＣＤ５０に対する表示動作を司るＤＳＰ（Digital Signal Processor）２０と、主として撮影により得られたデジタル画像データを記憶するＳＤＲＡＭ（Synchronous Dynamic Random Access Memory）２２と、各種プログラムやパラメータ等を予め記憶したフラッシュメモリ（Flash Memory）２４と、デジタルカメラ１０全体の動作を司るＣＰＵ（中央演算処理装置）２８と、所定の圧縮形式でデジタル画像データに対して圧縮処理を施すと共に、圧縮処理されたデジタル画像データに対して伸張処理を施す圧縮・伸張部２９と、を含んで構成されている。
【００５８】
なお、本実施の形態に係るデジタルカメラ１０では、上記所定の圧縮形式として、静止画像のデジタル画像データを圧縮するときにはＪＰＥＧ（Joint Photographic Experts Group）形式を、動画像のデジタル画像データを圧縮するときにはＭｏｔｉｏｎ  ＪＰＥＧ形式を、各々適用している。
【００５９】
ＣＣＤ１６の出力端はＡ／Ｄ変換器１８の入力端に、Ａ／Ｄ変換器１８の出力端はＤＳＰ２０の入力端に、ＤＳＰ２０の出力端はＬＣＤ５０の入力端に、各々接続されている。また、ＤＳＰ２０、ＳＤＲＡＭ２２、フラッシュメモリ２４、ＣＰＵ２８、及び圧縮・伸張部２９はバスＢＵＳによって相互に接続されている。従って、ＣＰＵ２８は、ＳＤＲＡＭ２２及びフラッシュメモリ２４を任意にアクセスすることができると共に、ＤＳＰ２０及び圧縮・伸張部２９の作動を制御することができる。
【００６０】
なお、本実施の形態に係るデジタルカメラ１０は、スマート・メディア、ＩＣカード、ＣＤ−Ｒ、ＣＤ−ＲＷ等の可搬型の記録メディア２６を装着可能に構成されており、当該記録メディア２６はデジタルカメラ１０に装着された状態でバスＢＵＳに電気的に接続される。従って、ＣＰＵ２８は、記録メディア２６も任意にアクセスすることができる。
【００６１】
ここで、本実施の形態に係るＣＣＤ１６は、画素数が水平方向及び垂直方向の双方ともＬＣＤ５０及びＰＣ８０の表示部８４より多いエリアＣＣＤが適用されている。具体的には、ＣＣＤ１６の画素数は水平方向１２８０画素、垂直方向９６０画素とされており、ＬＣＤ５０及び表示部８４の画素数は水平方向６４０画素、垂直方向４８０画素（ＶＧＡサイズ）とされている。すなわち、ＣＣＤ１６は、水平方向及び垂直方向の双方についてＬＣＤ５０及び表示部８４の２倍の画素数を有するものとされている。
【００６２】
ＣＣＤ１６から出力された被写体像を示す信号は順次Ａ／Ｄコンバータ１８に入力され、Ａ／Ｄコンバータ１８は、ＣＣＤ１６から入力されたＲ（赤）、Ｇ（緑）、Ｂ（青）の信号を各々１２ビットのＲ、Ｇ、Ｂ信号（以下、「デジタル画像データ」という。）に変換してＤＳＰ２０に出力する。
【００６３】
ＤＳＰ２０は内蔵しているラインバッファにＡ／Ｄコンバータ１８から順次入力されるデジタル画像データを蓄積して一旦ＳＤＲＡＭ２２に格納する。
【００６４】
ＳＤＲＡＭ２２に格納されたデジタル画像データは、ＣＰＵ２８によって読み出され、これらに光源種に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を再びＳＤＲＡＭ２２に格納する。
【００６５】
なお、ＬＣＤ５０は、ＣＣＤ１６による連続的な撮像によって得られた動画像（スルー画像）を表示してファインダとして使用することができるものとして構成されているが、このようにＬＣＤ５０をファインダとして使用する場合には、生成したＹＣ信号を、ＤＳＰ２０を介して順次ＬＣＤ５０に出力する。これによってＬＣＤ５０にスルー画像が表示されることになる。なお、前述のように、本実施の形態に係るＣＣＤ１６は水平方向及び垂直方向共にＬＣＤ５０の２倍の画素数とされているので、スルー画像をＬＣＤ５０に表示する際には、ＹＣ信号から水平方向及び垂直方向の双方について各々隣接する２画素毎に１画素を間引いてＬＣＤ５０に順次出力する。
【００６６】
ここで、撮影スイッチ３０Ｅにより、撮影モードでかつ静止画像の撮影が設定されているときには、レリーズボタン３０Ａが撮影者によって全押し状態とされたときに、この時点でＳＤＲＡＭ２２に格納されているＹＣ信号を、圧縮・伸張部２９によって所定の圧縮形式（本実施の形態では、ＪＰＥＧ形式）で圧縮した後に記録メディア２６に画像ファイルとして記録する。
【００６７】
また、撮影スイッチ３０Ｅにより、撮影モードでかつ動画像の撮影が設定されているときには、レリーズボタン３０Ａが全押し状態とされた時点から次にレリーズボタン３０Ａが全押し状態とされる時点までの期間、すなわち動画像の撮影を行っている期間において、所定期間（本実施の形態では、１／３０秒（０．０３３・・・秒））毎に、ＳＤＲＡＭ２２に格納されているＹＣ信号を、圧縮・伸張部２９によって所定の圧縮形式（本実施の形態では、Ｍｏｔｉｏｎ  ＪＰＥＧ形式）で圧縮した後に記録メディア２６に画像ファイルとして記録する。従って、本実施の形態に係るデジタルカメラ１０で動画像の撮影を行ったときには、３０フレーム／秒の動画像を記録メディア２６に記録することができる。
【００６８】
なお、このとき、記録メディア２６に記録される画像ファイルは、静止画像及び動画像の何れの場合もＣＣＤ１６により取得された全ての画素（本実施の形態では、水平方向１２８０画素、垂直方向９６０画素）について記録する。これにより、画像ファイルとして記録された画像を当該画像の水平方向及び垂直方向の双方の画素数を少なくして拡大又は縮小するとき、画像ファイルとして記録された画像の水平方向及び垂直方向の各画素数と、拡大又は縮小後の画像の水平方向及び垂直方向の各画素数とに基づいて定められる後述する拡大倍率上限値Ｃを拡大の際の上限値として制限することにより、撮影時には得られていない画素データ（画素単位のデータ）を補間処理等によって新たに生成することなく、画像ファイルのデジタル画像データに対する画素単位の間引きのみによって拡大又は縮小することができるので、画質劣化のない状態で画像の拡大又は縮小を行うことができる。
【００６９】
一方、ＣＰＵ２８には、前述のレリーズボタン３０Ａ、十字カーソルボタン３０Ｂ、ズームボタン３０Ｃ、再生スイッチ３０Ｄ、撮影スイッチ３０Ｅ、電源スイッチ５２の各種ボタン類及びスイッチ類（同図では、「操作部３０」と総称。）が接続されている。従って、ＣＰＵ２８は、これらボタン類及びスイッチ類の操作状況を常時把握できる。
【００７０】
また、ＣＰＵ２８はモータ駆動部３３の入力端に接続され、モータ駆動部３３の出力端は光学ユニット１４に備えられた焦点調整モータ及びズームモータに接続されている。
【００７１】
本実施の形態に係る光学ユニット１４に含まれるレンズ１２は複数枚のレンズを有し、焦点距離の変更（変倍）が可能なズームレンズとして構成されており、図示しないレンズ駆動機構を備えている。このレンズ駆動機構にズームモータ及び焦点調整モータは含まれるものであり、ズームモータ及び焦点調整モータは各々ＣＰＵ２８の制御下でモータ駆動部３３から供給された駆動信号によって駆動される。
【００７２】
ＣＰＵ２８は、光学ズーム倍率を変更する際にはズームモータを駆動制御して光学ユニット１４に含まれるレンズの焦点距離を変化させる。
【００７３】
また、ＣＰＵ２８は、ＣＣＤ１６による撮像によって得られた画像のコントラストが最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Through The Lens）方式を採用している。
【００７４】
一方、デジタルカメラ１０には、バスＢＵＳに接続されたＵＳＢコントローラ３２が内蔵されており、ＵＳＢコントローラ３２は、デジタルカメラ１０がクレードル６０に装着されてレセプタクル４０とクレードルコネクタ６２とが接続された状態において、クレードル６０に備えられたＵＳＢコネクタ７０を介して接続された外部装置（本実施の形態では、ＰＣ８０）との間のＵＳＢによる通信を司る。
【００７５】
更に、デジタルカメラ１０には、各部に所定レベルの直流の電源電力を供給するＤＣ／ＤＣコンバータ３６と、電源電力に関する制御を行う電源制御部３８と、が内蔵されており、電源制御部３８は、ＤＣ／ＤＣコンバータ３６と前述の充電電池３４に接続されている。また、デジタルカメラ１０がクレードル６０に装着されてレセプタクル４０とクレードルコネクタ６２とが接続された状態において、電源制御部３８はクレードル６０に設けられたＤＣジャック６８と接続され、ＤＣジャック６８に不図示のＡＣアダプタが接続されている場合には、電源制御部３８に当該ＡＣアダプタからの所定レベルの直流電力が供給されることになる。
【００７６】
電源制御部３８は、デジタルカメラ１０がクレードル６０に装着されており、かつクレードル６０から上記所定レベルの直流電力が供給されているときにおいて、電源スイッチ５２がオフ状態となっている場合はクレードル６０から供給されている直流電力により充電電池３４を充電し、電源スイッチ５２がオン状態となっている場合はクレードル６０から供給されている直流電力により充電電池３４を充電する一方、当該直流電力をＤＣ／ＤＣコンバータ３６に供給することにより、デジタルカメラ１０の各部への電源電力の供給を行う。
【００７７】
また、電源制御部３８は、デジタルカメラ１０がクレードル６０に装着されておらず、かつＤＣ端子４２にＡＣアダプタが接続されているときにおいて、電源スイッチ５２がオフ状態となっている場合は当該ＡＣアダプタから供給されている直流電力により充電電池３４を充電し、電源スイッチ５２がオン状態となっている場合は当該ＡＣアダプタから供給されている直流電力により充電電池３４を充電する一方、当該直流電力をＤＣ／ＤＣコンバータ３６に供給することにより、デジタルカメラ１０の各部への電源電力の供給を行う。
【００７８】
更に、電源制御部３８は、デジタルカメラ１０がクレードル６０に装着されておらず、かつＤＣ端子４２にＡＣアダプタが接続されておらず、更に電源スイッチ５２がオン状態となっている場合は、充電電池３４から各部への電源電力の供給を行うように関係各部を制御する。
【００７９】
なお、デジタルカメラ１０がクレードル６０に装着されてレセプタクル４０とクレードルコネクタ６２とが接続された状態において、ＣＰＵ２８にはクレードル６０に備えられている前述の電源スイッチ６４及び通信ＬＥＤ６６が接続される。従って、ＣＰＵ２８はクレードル６０の電源スイッチ６４のオン／オフ状態を把握できると共に、クレードル６０を介して接続された外部装置との間で通信を行っているときに通信ＬＥＤ６６を点灯するように制御することにより、クレードル６０を介した通信が行われていることを明示することができる。
【００８０】
ところで、本実施の形態に係るデジタルカメラ１０は、動画像の撮影により記録メディア２６に記録された画像ファイルをダビングするとき、及び再生するときのための機能として、次の３つの機能を備えている。
（１）画像ファイルに含まれる画像のうち、ダビング及び再生を実行する画像範囲を指定する範囲指定機能。
（２）ダビングする画像及び再生する画像の電子ズームによるズーミング（拡大及び縮小）を行うズーミング機能。
（３）ダビングする画像及び再生する画像の一部領域を電子ズームにより拡大してトリミングするトリミング機能。
【００８１】
次に、図３を参照して、本実施の形態に係る記録メディア２６の記録領域の構成について説明する。同図に示すように、記録メディア２６の記録領域は管理領域Ａ１とデータ領域Ａ２に大別される。
【００８２】
管理領域Ａ１にはファイルを管理するための領域である予約領域２６Ａと、データを記録するための領域を所定データサイズ毎の区分領域に区分したときの各区分領域毎の使用状況を示すテーブルであるＦＡＴ（File Allocation Table）２６Ｂと、ＦＡＴ２６Ｂと同一の内容とされたＦＡＴ２６Ｃと、ディレクトリ２６Ｄと、の各領域を有する。ここで、ＦＡＴを２つ用意してあるのは安全のためである。なお、ディレクトリ及びＦＡＴにより記録メディアを管理する技術は公知であるので、ここでの詳細な説明は省略する。
【００８３】
これに対し、データ領域Ａ２には、前述の範囲指定機能、ズーミング機能、及びトリミング機能の３つの機能に関する情報が含まれる編集ファイルを記録するための領域である編集ファイル記録領域２６Ｅと、撮影によって得られたデジタル画像データをファイル単位で画像ファイルとして記録する領域であるデータ記録領域２６Ｆと、の各領域を有する。ここで、上記編集ファイルは、動画像の撮影によりデータ記録領域２６Ｆに記録された画像ファイルに対する後述する画像編集処理による処理結果を示す各種情報を記録するファイルであり、当該画像編集処理が行われた全ての動画像の画像ファイル毎に作成ないし記録されるものである。
【００８４】
以下、図４を参照して、本実施の形態に係る編集ファイルの構成を説明する。なお、同図では１画像ファイル分の構成について図示している。
【００８５】
同図に示すように、本実施の形態に係る編集ファイルには、画像編集処理において処理対象とされた画像ファイル（以下、「編集対象ファイル」という。）のファイル名を示す情報と、編集対象ファイルのダビング及び再生を実行する際の、当該実行を開始したいシーンの編集対象ファイルにおける位置を示す編集開始位置情報及び当該実行を終了したいシーンの編集対象ファイルにおける位置を示す編集終了位置情報の２つの位置情報により構成された編集位置情報が記録される。ここで、上記編集位置情報は前述の範囲指定機能に関する情報である。
【００８６】
また、編集ファイルには、編集対象ファイルのダビング及び再生を実行する際の、ズーミングを開始したいシーンの編集対象ファイルにおける位置を示すズーム開始位置情報及びズーミングの実行を終了したいシーンの編集対象ファイルにおける位置を示すズーム終了位置情報により構成されたズーム位置情報と、当該ズーム位置情報によって示されるズーミング期間中の各画像（フレーム）を示すフレーム情報、フレーム情報により示される画像のズーム倍率を示すズーム倍率情報、及びトリミングを行う際の当該トリミングの画像上の座標位置を示すトリミング情報により構成されたズーム関連情報と、が記録される構成とされている。ここで、上記フレーム情報及びズーム倍率情報は前述のズーミング機能に関する情報であり、上記トリミング情報は前述のトリミング機能に関する情報である。
【００８７】
なお、上記編集位置情報及び上記ズーム位置情報の各情報は、対応する画像を示すフレーム情報として記録される。そして、本実施の形態では、上記編集位置情報、上記ズーム位置情報、及び上記ズーム関連情報におけるフレーム情報を、当該動画像の画像ファイルを構成する各画像の先頭画像を基準として昇順に割り振られた画像番号（以下、「フレーム番号」という。）で表すようにしている。
【００８８】
すなわち、同図に示す編集ファイルでは、上記編集開始位置情報として‘１２４’が、上記編集終了位置情報として‘８７８’が各々記録されており、この場合は、フレーム番号１２４の画像（シーン）からフレーム番号８７８の画像までのデジタル画像データをダビング及び次回以降に再生することを示している。
【００８９】
また、同図に示す編集ファイルでは、上記ズーム開始位置情報として‘２３４’が、上記ズーム終了位置情報として‘４７６’が各々記録されており、この場合は、フレーム番号２３４の画像からフレーム番号４７６の画像までの各画像を当該編集ファイルのズーム関連情報として記録されているズーム倍率情報及びトリミング情報に基づいてズーミングすることを示している。
【００９０】
ここで、本実施の形態では、上記トリミング情報として、トリミングする画像領域の中心位置を示す水平方向座標及び垂直方向座標で表すようにしている。なお、本実施の形態では、上記水平方向座標及び上記垂直方向座標を、画像の左上端部に位置する画素の座標を原点（０，０）としたときの水平方向画素数及び垂直方向画素数で表している。
【００９１】
従って、同図に示す編集ファイルでは、例えば、フレーム番号２３４の画像については、水平方向座標８５４、垂直方向座標３７４の位置（画像の左上端部から水平方向８５４画素目の画素から垂直方向に延びた直線と、左上端部から垂直方向３７４画素目の画素から水平方向に延びた直線との接点の位置）を中心として１．１倍に拡大してダビングないし次回以降の再生が行われることを示している。
【００９２】
なお、本明細書で言う「画像を拡大してダビング」及び「画像を縮小してダビング」とは、当該画像を示すデジタル画像データを同一の液晶ディスプレイ等の再生装置により再生したときに拡大ないし縮小されて見えるように当該画像データを加工（リサイズ）してダビングすることを意味する。
【００９３】
ＣＣＤ１６が本発明の撮像手段に、記録メディア２６が本発明の記録手段に、ＬＣＤ５０が本発明の表示手段に、レリーズボタン３０Ａが本発明の編集操作手段に、ズームボタン３０Ｃが本発明のズーム情報入力手段に、ＣＰＵ２８が本発明の制限手段及び情報記録手段に、ＵＳＢコントローラ３２が本発明の送信手段に、各々相当する。
【００９４】
また、ズームボタン３０Ｃが前述の第１態様の撮影ズーム操作手段に、レリーズボタン３０Ａが前述の第２態様の撮影操作手段に、ＣＰＵ２８が前述の第３態様の切出手段及びズーム実行手段に、各々相当する。
【００９５】
次に、本実施の形態に係るデジタルカメラ１０の作用を説明する。まず、図５を参照して、デジタルカメラ１０によって実行される画像編集処理について説明する。なお、図５は、ユーザにより再生スイッチ３０Ｄの操作によって再生モードが設定され、デジタルカメラ１０の不図示のメニュー画面上で画像編集処理の実行が指示された際にデジタルカメラ１０のＣＰＵ２８によって実行される画像編集処理プログラムの処理の流れを示すフローチャートであり、該プログラムは予めフラッシュメモリ２４の所定領域に記憶されている。また、ここでは、記録メディア２６のデータ記録領域２６Ｆに複数の動画像の画像ファイルが記録されている場合について説明する。
【００９６】
同図のステップ２００では、初期設定として押下フラグをリセット（ここでは、押下フラグに‘０’を代入。）すると共に、処理領域中心座標変数に画像ファイルにより示される画像の水平方向及び垂直方向の中心座標（本実施の形態では、水平方向座標が‘６４０’、垂直方向座標が‘４８０’。）を代入する。なお、上記押下フラグは、本画像編集処理の実行中にレリーズボタン３０Ａが最初に全押し状態とされたときにセット（ここでは、‘１’を代入。）されるものである。また、上記処理領域中心座標変数は、トリミング機能を働かせる際のトリミングする画像領域の中心座標を示すものである。従って、本ステップ２００では、トリミングする画像領域の中心座標の初期設定として画像ファイルによって示される画像の中心位置が設定される。
【００９７】
次のステップ２０２では、拡大倍率上限値Ｃを次の（１）式により算出する。
【００９８】
【数１】
0004090254.tif 000002
【００９９】
ここで、ＨＤ及びＶＤは各々画像ファイルとして記録されたデジタル画像データの水平方向画素数及び垂直方向画素数を、ＨＺ及びＶＺは各々拡大後のデジタル画像データの水平方向画素数及び垂直方向画素数を、各々表す。また、ｍｉｎ（Ｘ，Ｙ）はＸ及びＹの小さい方の値（等しい場合は当該値）を適用することを表す。なお、本実施の形態では、水平方向画素数ＨＺ及び垂直方向画素数ＶＺを各々ＬＣＤ５０及び表示部８４と同様のＶＧＡサイズである６４０画素及び４８０画素としている。
【０１００】
本実施の形態に係る画像ファイルのデジタル画像データは水平方向画素数ＨＤ及び垂直方向画素数ＶＤが各々１２８０画素及び９６０画素であり、拡大後の水平方向画素数ＨＺ及び垂直方向画素数ＶＺを各々６４０画素及び４８０画素としているので、ＨＤ／ＨＺ及びＶＤ／ＶＺは共に２（＝１２８０／６４０＝９６０／４８０）であり、従って拡大倍率上限値Ｃは‘２’となる。なお、ＬＣＤ５０の表示画素数がＱＶＧＡ（Quarter VGA）サイズの画素数である等の理由から拡大後のデジタル画像データの水平方向画素数ＨＺ及び垂直方向画素数ＶＺを各々３２０画素及び２４０画素とした場合の拡大倍率上限値Ｃは４（＝１２８０／３２０＝９６０／２４０）となる。
【０１０１】
ここで、画像ファイルとして記録されたデジタル画像データの水平方向画素数ＨＤ及び垂直方向画素数ＶＤは、各々拡大後のデジタル画像データの水平方向画素数ＨＺ及び垂直方向画素数ＶＺの整数倍には限定されず、ＨＤ／ＨＺ及びＶＤ／ＶＺの少なくとも一方が小数点以下の数値を含む場合にも適用できる。また、ここでは、画像ファイルとして記録されたデジタル画像データにより示される画像と、拡大後のデジタル画像データにより示される画像との各々のアスペクト比が等しい場合について記載しているが、当該アスペクト比が異なる場合にも適用できる。
【０１０２】
次のステップ２０４では、予め定められた編集画像選択メニューをＬＣＤ５０に表示し、次のステップ２０６で、ユーザによる所定情報の入力待ちを行う。図６（Ａ）には、上記ステップ２０４の処理によってＬＣＤ５０に表示された編集画像選択メニューが示されている。同図に示すように、本実施の形態に係る編集画像選択メニューでは、編集する画像ファイル（編集対象ファイル）のファイル名の指定を促す旨のメッセージが表示されると共に、記録メディア２６のデータ記録領域２６Ｆに記録されている動画像の画像ファイルのファイル名が一覧表示される。なお、データ記録領域２６Ｆに記録されている画像ファイルからの動画像のファイルのみのファイル名の抽出は、記録メディア２６のディレクトリ２６Ｄに記録されているファイル名のうち、拡張子として動画像を示すもの（本実施の形態では、Ｍｏｔｉｏｎ  ＪＰＥＧを示す‘ａｖｉ’）が付されたものを抽出することにより行うことができる。
【０１０３】
このような編集画像選択メニューがＬＣＤ５０に表示されると、ユーザは、十字カーソルボタン３０Ｂの操作によって所望の画像ファイルのファイル名を指定する。これによりＣＰＵ２８には、ユーザによって指定されたファイル名を示す情報が入力され、上記ステップ２０６が肯定判定となってステップ２０８に移行する。
【０１０４】
ステップ２０８では、上記ステップ２０６において入力されたファイル名の画像ファイル（編集対象ファイル）を記録メディア２６のデータ記録領域２６Ｆから読み出し、当該編集対象ファイルのＬＣＤ５０による再生（動画像の表示）を開始する。なお、ここでは、上記処理領域中心座標変数によって示される再生画像の位置が、ＬＣＤ５０の表示領域における中心位置と一致するように再生を行う。また、ここでは、画像の拡大倍率を１倍として再生を行う。
【０１０５】
次のステップ２１０では、レリーズボタン３０Ａが全押し状態とされたか否かを判定し、肯定判定の場合はステップ２１２に移行して押下フラグがリセットされているか否か（本実施の形態では、押下フラグの値が‘０’であるか否か）を判定し、肯定判定の場合はステップ２１４に移行する。
【０１０６】
ステップ２１４では、この時点でＬＣＤ５０に表示している画像のフレーム番号を編集開始位置情報として編集ファイルに記録し、次のステップ２１６で押下フラグをセットした後に上記ステップ２１０に戻る。
【０１０７】
一方、上記ステップ２１２において否定判定された場合にはステップ２１８に移行し、この時点でＬＣＤ５０に表示している画像のフレーム番号を編集終了位置情報として編集ファイルに記録し、次のステップ２２０で押下フラグをリセットした後にステップ２２２で動画像の再生を終了し、その後に本画像編集処理プログラムを終了する。
【０１０８】
すなわち、上記ステップ２１２の実行時点で押下フラグがリセットされているときは上記ステップ２１０で検知したレリーズボタン３０Ａの全押し操作が本画像編集処理の実行中における１回目の操作であるので、このときには当該レリーズボタン３０Ａの全押し操作が編集の開始位置を示す操作であったものと見なして、この時点の再生画像の位置を編集開始位置情報として記録している。これに対し、上記ステップ２１２の実行時点で押下フラグがセットされているときは上記ステップ２１０で検知したレリーズボタン３０Ａの全押し操作が本画像編集処理の実行中における２回目の操作であるので、このときには当該レリーズボタン３０Ａの全押し操作が編集の終了位置を示す操作であったものと見なして、この時点の再生画像の位置を編集終了位置情報として記録した後に、動画像の再生を終了している。
【０１０９】
このように、本実施の形態に係るデジタルカメラ１０では、ダビング及び再生を実行する画像範囲を指定するための操作手段として動画像の撮影開始時及び撮影終了時に操作されるレリーズボタン３０Ａを兼用しているので、動画像の撮影を行っているときと同様の操作で当該画像範囲の指定を行うことができ、極めて操作性が高い。
【０１１０】
一方、上記ステップ２１０において否定判定された場合はステップ２２４に移行してズームボタン３０Ｃの操作が開始されたか否かを判定し、肯定判定の場合はステップ２２６に移行して、この時点でＬＣＤ５０に表示している画像のフレーム番号をズーム開始位置情報として編集ファイルに記録し、次のステップ２２８では、ユーザによるズームボタン３０Ｃの操作に応じた電子ズームによるズーミング再生を開始する。すなわち、本ステップ２２８では、ユーザによりズームボタン３０Ｃのテレ・ボタンが押圧操作されているときは、再生している画像を所定倍率（本実施の形態では、１．０１倍）だけ拡大して表示するようにし、ユーザによりズームボタン３０Ｃのワイド・ボタンが押圧操作されているときは、再生している画像を所定倍率（本実施の形態では、０．０９倍）だけ縮小して表示するようにする。
【０１１１】
次のステップ２３０では、この時点のＬＣＤ５０での再生画像の拡大倍率が拡大倍率上限値Ｃを超えているか否かを判定し、肯定判定の場合はステップ２３２に移行して当該再生画面の拡大倍率を拡大倍率上限値Ｃとした後にステップ２４０に移行する。
【０１１２】
一方、上記ステップ２３０において否定判定された場合にはステップ２３４に移行し、上記再生画像の拡大倍率が１を超えているか否かを判定し、肯定判定の場合はステップ２３６に移行してＬＣＤ５０の再生画像に重ねて上下左右の矢印を表示するようにした後にステップ２４０に移行し、否定判定の場合にはステップ２３８に移行して、上記ステップ２３６において表示するようにした矢印を非表示とするようにした後にステップ２４０に移行する。
【０１１３】
上記ステップ２３０及びステップ２３２の処理により、再生画像の倍率を拡大倍率上限値Ｃ以下の範囲内の値に制限することができる。従って、再生画像のデジタル画像データを、記録メディア２６に記憶してある編集対象ファイルのデジタル画像データからの画素単位の間引きのみによって生成することができ、拡大及び縮小に伴う再生画像の画質劣化が発生することはない。このことを、図７を参照して詳細に説明する。なお、同図では、処理領域中心座標が再生画像の中心位置とされている場合について示している。
【０１１４】
再生画像の拡大倍率が１倍のときは、図７（Ａ）に示すように、処理領域中心座標変数によって示される位置を中心位置としたときの再生画像のサイズに対応するデジタル画像データのデータ領域を切り出し、切り出したデータに対し水平方向及び垂直方向の各方向に対して隣接する２画素毎に１画素の間引きを行うことにより、当該デジタル画像データによる再生画像のリサイズを行えばよい。すなわち、本実施の形態に係るデジタル画像データの画素数は、水平方向及び垂直方向ともＬＣＤ５０の画素数の２倍とされているので、デジタル画像データによって示される画像領域の全域をＬＣＤ５０の表示領域全域に表示する場合を考えると、水平方向及び垂直方向の双方について単純に２画素毎に１画素を間引きするのみにより、デジタル画像データの画素数をＬＣＤ５０の表示画素数と同一にすることができる。
【０１１５】
また、再生画像の拡大倍率が１倍未満のとき、すなわち、再生画像が縮小されるときは、図７（Ｂ）に示すように、処理領域中心座標変数によって示される位置を中心位置としたときの再生画像のサイズに対応するデジタル画像データのデータ領域を切り出し、切り出したデータに対し水平方向及び垂直方向の各方向に対して拡大倍率に応じた割合で画素の間引きを行うことにより、当該デジタル画像データによる再生画像のリサイズを行えばよい。なお、このときの間引きの割合は、再生画像の拡大倍率が１である場合（２画素毎の１画素の間引き）より大きな値（例えば、３画素毎の２画素の間引きや、４画素毎の３画素の間引き等）となる。
【０１１６】
更に、再生画像の拡大倍率が１倍超で拡大倍率上限値Ｃ以下のときは、図７（Ｃ）に示すように、処理領域中心座標変数によって示される位置を中心位置としたときの再生画像のサイズに対応するデジタル画像データのデータ領域を切り出し、切り出したデータに対し水平方向及び垂直方向の各方向に対して拡大倍率に応じた割合で画素の間引きを行うことにより、当該デジタル画像データによる再生画像のリサイズを行えばよい。なお、このときの間引きの割合は、再生画像の拡大倍率が１である場合より小さな値（例えば、３画素毎の１画素の間引きや、４画素毎の１画素の間引き等）となる。
【０１１７】
このように、本実施の形態に係るデジタルカメラ１０では、ＣＣＤ１６の水平方向及び垂直方向の各方向に対する画素数を拡大後の画像より多くすることによって、撮影により記録される画像の水平方向及び垂直方向の各方向に対する画素数を拡大後の画像より多くすると共に、再生画像の拡大倍率を拡大倍率上限値Ｃ以下に制限することによって、再生画像のためのデジタル画像データを画素の間引きのみによって作成することができるようにしており、光学的には得られていない画素のデータを補間処理等によって生成する場合のような画質の劣化を防止するようにしている。
【０１１８】
また、上記ステップ２３４〜ステップ２３８の処理により、再生画像の拡大倍率が１倍超で、かつ拡大倍率上限値Ｃ以下である場合は、図６（Ｂ）に示すように、動画像を表示すると同時にＬＣＤ５０の表示領域の上端部近傍に上矢印９０Ｕが、下端部近傍に下矢印９０Ｄが、左端部近傍に左矢印９０Ｌが、右端部近傍に右矢印９０Ｒが、各々表示され、再生画像の拡大倍率が１倍以下である場合には、これらの矢印９０Ｕ、９０Ｄ、９０Ｌ、９０Ｒは表示されない。
【０１１９】
これらの矢印９０Ｕ、９０Ｄ、９０Ｌ、９０Ｒは、各々、矢印によって示される方向に対応する十字カーソルボタン３０Ｂの矢印キーを押圧操作することにより当該矢印の指し示す方向にＬＣＤ５０に表示されている再生画像の中心位置が移動することを示すものである。このように、本実施の形態に係るデジタルカメラ１０では、ズームボタン３０Ｃの操作により再生画像が拡大された状態においては、十字カーソルボタン３０Ｂの操作によって再生画像をＬＣＤ５０上でスクロールさせることができ、このときにＬＣＤ５０に再生されている画像をトリミングの範囲として設定することができる。
【０１２０】
ステップ２４０では、この時点の再生画像の拡大倍率を示す情報をズーム倍率情報とし、処理領域中心座標変数に代入されている水平方向座標及び垂直方向座標の各座標値をトリミング情報として、１フレーム毎にフレーム情報と共に編集ファイルに記録し、次のステップ２４２では、上記ステップ２２４において検知されたズームボタン３０Ｃの操作が終了したか否かを判定し、否定判定の場合は上記ステップ２３０に戻り、肯定判定となった時点でステップ２４４に移行する。
【０１２１】
ステップ２４４では、この時点でＬＣＤ５０に再生されている画像のフレーム番号をズーム終了位置情報として編集ファイルに記録し、次のステップ２４６で上記ステップ２２８において開始したズーミング再生を終了した後に上記ステップ２１０に戻る。
【０１２２】
上記ステップ２２４〜ステップ２４６の処理により、ユーザによって選択された動画像を示す画像ファイルがＬＣＤ５０に再生されている状態で、ダビング及び次回以降の再生を実行する際におけるズーミング状態に関する情報を記録している。
【０１２３】
このとき、本実施の形態に係るデジタルカメラ１０では、ダビング及び再生を実行する際のズーミング状態を設定するための操作手段として撮影時のズーミング時に操作されるズームボタン３０Ｃを兼用しているので、撮影を行っているときと同様の操作で当該設定を行うことができ、極めて操作性が高い。
【０１２４】
一方、上記ステップ２２４において否定判定された場合はステップ２４８に移行して、この時点のＬＣＤ５０への再生画像の拡大倍率が１を超えているか否かを判定し、肯定判定の場合はステップ２５０に移行して十字カーソルボタン３０Ｂが操作されたか否かを判定し、肯定判定の場合はステップ２５２に移行する。
【０１２５】
ステップ２５２では、処理領域中心座標変数の値を、押下されている十字カーソルボタン３０Ｂの矢印キーが指し示す方向に所定量（本実施の形態では、１画素）だけ移動させたときの座標値に更新した後に上記ステップ２１０に戻る。なお、上記ステップ２５２の処理によって処理領域中心座標変数の値が変更されたときには、それ以降の再生画像を、ＬＣＤ５０の中心位置に処理領域中心座標変数によって示される画像位置が一致するように再生画像をスクロールさせた状態で再生する。
【０１２６】
一方、上記ステップ２４８及びステップ２５０の何れかにおいて否定判定であった場合には上記ステップ２５２の処理を実行することなく上記ステップ２１０に戻る。
【０１２７】
本画像編集処理により、図８に示すように、編集対象ファイルがＬＣＤ５０により再生されている状態で、ユーザは、再生されている画像を参照しながら、ダビング及び次回以降の再生を実行するときの、実行を開始する画像が再生されたときにレリーズボタン３０Ａを全押し状態とすることにより当該画像を示すフレーム番号を編集開始位置情報として編集ファイルに記録できると共に、実行を終了する画像が再生されたときにレリーズボタン３０Ａを再び全押し状態とすることにより当該画像を示すフレーム番号を編集終了位置情報として編集ファイルに記録できる。
【０１２８】
また、本画像編集処理により、編集対象ファイルがＬＣＤ５０により再生されている状態で、ユーザは、再生されている画像を参照しながら、ダビング及び次回以降の再生を実行するときの、ズーミングの実行を開始したい画像が再生されたときにズームボタン３０Ｃの押圧操作を開始することにより当該画像を示すフレーム番号をズーム開始位置情報として編集ファイルに記録できると共に、ズーミングの実行を終了したい画像が再生されたときにズームボタン３０Ｃの押圧操作を終了することにより当該画像を示すフレーム番号をズーム終了位置情報として編集ファイルに記録できる。
【０１２９】
そして、ズームボタン３０Ｃが押圧操作されている期間においてＬＣＤ５０に再生されている画像の各々毎に、当該画像を示すフレーム情報と、当該画像に対するズーム倍率を示すズーム倍率情報と、当該画像に対する処理領域中心座標を示すトリミング情報と、がズーム関連情報として編集ファイルに記録できる。
【０１３０】
本画像編集処理プログラムのステップ２１４、２１８、２２６、２４０、及び２４４の処理が本発明の情報記録手段に、ステップ２３０及び２３２の処理が本発明の制限手段に、各々相当する。
【０１３１】
次に、図９を参照して、デジタルカメラ１０によって実行されるダビング処理について説明する。なお、図９は、デジタルカメラ１０がクレードル６０を介して外部装置（ここでは、ＰＣ８０）と接続され、ＰＣ８０からダビング処理の実行を指示する指示情報を受信したときにデジタルカメラ１０のＣＰＵ２８によって実行されるダビング処理プログラムの処理の流れを示すフローチャートであり、該プログラムも予めフラッシュメモリ２４の所定領域に記憶されている。
【０１３２】
同図のステップ３００では、記録メディア２６のディレクトリ２６Ｄからデータ記録領域２６Ｆに記録されている全ての画像ファイルのファイル名を読み出し、次のステップ３０２では、読み出した全ての画像ファイルのファイル名を示す情報を、クレードル６０を介してＰＣ８０に送信し、次のステップ３０４では、ＰＣ８０からの所定情報の受信待ちを行う。
【０１３３】
ＰＣ８０は、デジタルカメラ１０から上記ファイル名を示す情報を受信すると、受信したファイル名の情報を用いて、予め定められたレイアウト構成のダビング画像選択メニューを表示部８４に表示する。
【０１３４】
図１０には、このとき、表示部８４に表示されるダビング画像選択メニューが示されている。同図に示すように、本実施の形態に係るダビング画像選択メニューでは、ダビングする画像ファイルのファイル名の指定を促す旨のメッセージが表示されると共に、デジタルカメラ１０から受信した情報によって示される画像ファイルのファイル名が一覧形式に表示される。
【０１３５】
このようなダビング画像選択メニューが表示部８４に表示されると、ユーザは、表示されたファイル名からダビングしたい画像ファイルに対応するファイル名を不図示のキーボードやマウス等を用いて指定する。すると、ＰＣ８０は、ユーザによって指定されたファイル名を示す情報をデジタルカメラ１０にクレードル６０を介して送信する。これによって上記ステップ３０４が肯定判定となってステップ３０６に移行する。
【０１３６】
ステップ３０６では、ＰＣ８０から受信したファイル名を示す情報によって示される画像ファイル（以下、「ダビング対象ファイル」という。）に対応する編集ファイルが記録メディア２６の編集ファイル記録領域２６Ｅに存在するか否かを判定し、否定判定の場合はステップ３０８に移行してダビング対象ファイルを記録メディア２６のデータ記録領域２６Ｆから読み出し、次のステップ３１０で、読み出したダビング対象ファイルをＰＣ８０にクレードル６０を介して送信した後に本ダビング処理プログラムを終了する。上記ステップ３０６〜ステップ３１０の処理により、編集ファイルの存在しない画像ファイルがユーザによってダビングしたいファイルとして指定されたときに、指定された画像ファイル全体をＰＣ８０に送信するようにしている。
【０１３７】
ＰＣ８０は当該ダビング対象ファイルをデジタルカメラ１０から受信すると、この画像ファイルをＰＣ８０に予め装着された外部メディア８２の所定の記録領域に記録（ダビング）する。
【０１３８】
一方、上記ステップ３０６において肯定判定された場合、すなわち、ダビング対象ファイルに対応する編集ファイルが存在する場合にはステップ３１２に移行し、当該編集ファイルを記録メディア２６の編集ファイル記録領域２６Ｅから読み出し、次のステップ３１４で、読み出した編集ファイルをＰＣ８０に送信する。
【０１３９】
ＰＣ８０は当該編集ファイルを受信すると、当該編集ファイルに含まれる全ての情報を読み出し、読み出した情報に含まれる編集開始位置情報で示される画像（フレーム）から編集終了位置情報で示される画像までの各画像に対応するデジタル画像データの送信を指示する指示情報をダビング指示情報としてデジタルカメラ１０に送信する。また、ＰＣ８０は、受信した編集ファイルにズーム位置情報及びズーム関連情報が含まれる場合には、これらの情報を上記ダビング指示情報に含めてデジタルカメラ１０に送信する。
【０１４０】
そこで次のステップ３１６では、ＰＣ８０からのダビング指示情報の受信待ちを行い、次のステップ３１８では、受信したダビング指示情報により示される、ＰＣ８０に送信する画像区間（図８における編集開始位置から編集終了位置までの画像（フレーム）区間）における先頭の画像に対応するデジタル画像データをダビング対象ファイルから読み出す。
【０１４１】
次のステップ３２０では、上記ステップ３１６で受信したダビング指示情報に上記ステップ３１８で読み出したデジタル画像データに関するズーム関連情報が存在するか否かを判定し、肯定判定の場合はステップ３２２に移行して、上記ステップ３２０で存在が確認されたズーム関連情報に応じたデジタル画像データを上記ステップ３１８で読み出したデジタル画像データに基づいて生成した後にステップ３２６に移行する。以下、上記ステップ３２２におけるデジタル画像データの生成の手順を説明する。
【０１４２】
まず、上記ステップ３１８で読み出したデジタル画像データにより示される画像を、上記ステップ３２０で存在が確認されたズーム関連情報に含まれるトリミング情報により示される位置を中心として、当該ズーム関連情報に含まれるズーム倍率情報によって示される倍率で拡大又は縮小した場合に、ダビング後の画像サイズ（本実施の形態では、ＶＧＡサイズ）に含まれる画像領域のデジタル画像データを上記ステップ３１８で読み出したデジタル画像データから切り出す。
【０１４３】
次に、切り出したデジタル画像データに対して、当該ズーム関連情報に含まれるズーム倍率情報によって示される拡大倍率に応じた画素の間引き（リサイズ）を行うことにより、ズーム関連情報に応じたデジタル画像データを生成する。なお、拡大倍率が１倍である場合の画素の間引きは、図７（Ａ）を参照して説明した間引きと同様に行えばよく、拡大倍率が１倍未満である場合、すなわち画像を縮小する場合の画素の間引きは、図７（Ｂ）を参照して説明した間引きと同様に行えばよく、更に拡大倍率が１倍超で拡大倍率上限値Ｃ以下の場合の画素の間引きは、図７（Ｃ）を参照して説明した間引きと同様に行えばよい。
【０１４４】
一方、上記ステップ３２０において否定判定された場合にはステップ３２４に移行して、上記ステップ３１８で読み出したデジタル画像データにより示される画像が、ダビング後の画像サイズ（本実施の形態では、ＶＧＡサイズ）となるように、当該デジタル画像データに対して図７（Ａ）を参照して示した間引きと同様の間引き処理を施すことによりリサイズした後、ステップ３２６に移行する。
【０１４５】
ステップ３２６では、以上の処理によって得られたリサイズ後のデジタル画像データをＰＣ８０に送信し、次のステップ３２８では、以上のステップ３１８〜ステップ３２６の処理が上記画像区間の全ての画像について終了したか否かを判定し、否定判定の場合は上記ステップ３１８に戻り、肯定判定となった時点で本ダビング処理プログラムを終了する。
【０１４６】
なお、上記ステップ３１８〜ステップ３２８の繰り返し処理を実行する際にステップ３１８では、上記画像区間における前回読み出したデジタル画像データの次の画像に対応するデジタル画像データを読み出すようにする。
【０１４７】
ＰＣ８０では、上記ステップ３２６の処理によってデジタルカメラ１０から送信されたデジタル画像データを不図示のメモリに順次記憶し、上記画像区間の全ての画像に対応するデジタル画像データの受信が終了した時点で、上記メモリに記憶したデジタル画像データを纏めて１つの動画像の画像ファイルとして外部メディア８２の所定領域に記録する。
【０１４８】
本ダビング処理により、上記画像編集処理で編集対象とされた画像ファイルをダビングした場合において、当該ダビングによって得られた画像ファイルを、画像編集処理での編集内容に応じたものとすることができる。
【０１４９】
次に、図１１を参照して、デジタルカメラ１０によって実行される再生処理について説明する。なお、図１１は、ユーザにより再生スイッチ３０Ｄの操作によって再生モードが設定された際にデジタルカメラ１０のＣＰＵ２８によって実行される再生処理プログラムの処理の流れを示すフローチャートであり、該プログラムも予めフラッシュメモリ２４の所定領域に記憶されている。また、ここでは、記録メディア２６のデータ記録領域２６Ｆに複数の動画像の画像ファイルが記録されている場合について説明する。
【０１５０】
同図のステップ４００では、記録メディア２６のディレクトリ２６Ｄからデータ記録領域２６Ｆに記憶されている全ての画像ファイルのファイル名を読み出し、読み出した全ての画像ファイルのファイル名を用いて、予め定められたレイアウト構成の再生画像選択メニューをＬＣＤ５０に表示し、次のステップ４０２では、ユーザからの所定情報の入力待ちを行う。
【０１５１】
図１２には、上記ステップ４００の処理によってＬＣＤ５０に表示される再生画像選択メニューが示されている。同図に示すように、本実施の形態に係る再生画像選択メニューでは、再生する画像ファイルのファイル名の指定を促す旨のメッセージが表示されると共に、ディレクトリ２６Ｄから読み出したファイル名が一覧形式に表示される。
【０１５２】
このような再生画像選択メニューがＬＣＤ５０に表示されると、ユーザは、表示されたファイル名から再生したい画像ファイルに対応するファイル名を十字カーソルボタン３０Ｂの操作によって指定する。これによって上記ステップ４０２が肯定判定となってステップ４０４に移行する。
【０１５３】
ステップ４０４では、ユーザによって指定された画像ファイル（以下、「再生対象ファイル」という。）に対応する編集ファイルが記録メディア２６の編集ファイル記録領域２６Ｅに存在するか否かを判定し、否定判定の場合はステップ４０６に移行して再生対象ファイルを記録メディア２６のデータ記録領域２６Ｆから読み出し、次のステップ４０８で、読み出した再生対象ファイルをＬＣＤ５０により通常通りに再生した後に本再生処理プログラムを終了する。上記ステップ４０４〜ステップ４０８の処理により、編集ファイルの存在しない画像ファイルがユーザによって再生したいファイルとして指定されたときには、指定された画像ファイルを通常通りにＬＣＤ５０で再生するようにしている。
【０１５４】
一方、上記ステップ４０４において肯定判定された場合、すなわち、再生対象ファイルに対応する編集ファイルが存在する場合にはステップ４１０に移行し、当該編集ファイルを記録メディア２６の編集ファイル記録領域２６Ｅから読み出す。
【０１５５】
次のステップ４１２では、読み出した編集ファイルに含まれる編集開始位置情報により示される画像から編集終了位置情報により示される画像までの画像区間（図８における編集開始位置から編集終了位置までの画像（フレーム）区間）における先頭の画像に対応するデジタル画像データを再生対象ファイルから読み出す。
【０１５６】
次のステップ４１４では、上記ステップ４１０で読み出した編集ファイルに上記ステップ４１２で読み出したデジタル画像データに関するズーム関連情報が存在するか否かを判定し、肯定判定の場合はステップ４１６に移行して、上記ステップ４１４で存在が確認されたズーム関連情報に応じたデジタル画像データを上記ステップ４１２で読み出したデジタル画像データに基づいて生成した後にステップ４２０に移行する。以下、上記ステップ４１６におけるデジタル画像データの生成の手順を説明する。
【０１５７】
まず、上記ステップ４１２で読み出したデジタル画像データにより示される画像を、上記ステップ４１４で存在が確認されたズーム関連情報に含まれるトリミング情報により示される位置を中心として、当該ズーム関連情報に含まれるズーム倍率情報によって示される倍率で拡大又は縮小した場合に、再生時の画像サイズ（本実施の形態では、ＶＧＡサイズ）に含まれる画像領域のデジタル画像データを上記ステップ４１２で読み出したデジタル画像データから切り出す。
【０１５８】
次に、切り出したデジタル画像データに対して、当該ズーム関連情報に含まれるズーム倍率情報によって示される拡大倍率に応じた画素の間引き（リサイズ）を行うことにより、ズーム関連情報に応じたデジタル画像データを生成する。なお、拡大倍率が１倍である場合の画素の間引きは、図７（Ａ）を参照して説明した間引きと同様に行えばよく、拡大倍率が１倍未満である場合、すなわち画像を縮小する場合の画素の間引きは、図７（Ｂ）を参照して説明した間引きと同様に行えばよく、更に拡大倍率が１倍超で拡大倍率上限値Ｃ以下の場合の画素の間引きは、図７（Ｃ）を参照して説明した間引きと同様に行えばよい。
【０１５９】
一方、上記ステップ４１４において否定判定された場合にはステップ４１８に移行して、上記ステップ４１２で読み出したデジタル画像データにより示される画像が、再生時の画像サイズ（本実施の形態では、ＶＧＡサイズ）となるように、当該デジタル画像データに対して図７（Ａ）を参照して示した間引きと同様の間引き処理を施すことによりリサイズした後、ステップ４２０に移行する。
【０１６０】
ステップ４２０では、以上の処理によって得られたリサイズ後のデジタル画像データによる画像をＬＣＤ５０に表示し、次のステップ４２２では、以上のステップ４１２〜ステップ４２０の処理が上記画像区間の全ての画像について終了したか否かを判定し、否定判定の場合は上記ステップ４１２に戻り、肯定判定となった時点で本再生処理プログラムを終了する。
【０１６１】
なお、上記ステップ４１２〜ステップ４２２の繰り返し処理を実行する際にステップ４１２では、上記画像区間における前回読み出したデジタル画像データの次の画像に対応するデジタル画像データを読み出すようにする。また、上記ステップ４１２〜ステップ４２２の繰り返し処理を実行する際には、ステップ４２０による画像表示の周期を、再生対象ファイルを記録メディア２６に記録したときの動画像の撮影速度（本実施の形態では、３０フレーム／秒）と同一の再生速度となるように設定する。
【０１６２】
本再生処理により、上記画像編集処理で編集対象とされた画像ファイルをＬＣＤ５０により再生する場合において、画像編集処理での編集内容に応じた再生状態とすることができる。
【０１６３】
以上詳細に説明したように、本実施の形態に係るデジタルカメラ１０では、ＣＣＤ１６により生成されたデジタル画像データにより示される画像の水平方向及び垂直方向の各画素数を、電子ズームが施された後の画像より多くすると共に、画像ファイルの複製作成及び当該画像ファイルにより示される画像のＬＣＤ５０による表示の実行時に画像に対して施す電子ズームのズーム倍率を、ＣＣＤ１６により生成されたデジタル画像データにより示される画像の水平方向及び垂直方向の各画素数と、電子ズームが施された後の画像の水平方向及び垂直方向の各画素数とに基づいて決定される拡大倍率上限値Ｃ以下となるように制限しているので、補間処理を施すことなく必要なデジタル画像データを生成することができ、この結果として当該デジタル画像データによる表示画像の画質の劣化を防止することができる。
【０１６４】
また、本実施の形態に係るデジタルカメラ１０では、ＬＣＤ５０により画像ファイルによって示される動画像が表示された状態で、当該画像ファイルのダビング及び上記動画像の次回以降のＬＣＤ５０による表示の実行時に上記動画像に対し電子ズームを施す場合において当該電子ズームを実行したい画像がＬＣＤ５０により表示されたときに操作されるズームボタン３０Ｃに対する操作に基づいて、電子ズームを実行したい画像の画像ファイルにおける位置を示すズーム位置情報、及び当該画像に対するズーム倍率を示すズーム倍率情報を記録すると共に、ＬＣＤ５０により上記動画像が表示された状態で、上記画像ファイルのダビング及び上記動画像の次回以降のＬＣＤ５０による表示の少なくとも一方の実行時における当該実行を開始したい画像がＬＣＤ５０により表示されたときと、当該実行を終了したい画像がＬＣＤ５０により表示されたときとに操作されるレリーズボタン３０Ａに対する操作に基づいて、上記実行を開始したい画像の画像ファイルにおける位置を示す編集開始位置情報、及び上記実行を終了したい画像の画像ファイルにおける位置を示す編集終了位置情報を記録しているので、簡易な操作で短時間に動画像の画像ファイルにおける一部区間の電子ズームを伴うダビング及び表示の少なくとも一方を行うことができる。
【０１６５】
また、本実施の形態に係るデジタルカメラ１０では、画像ファイルにおける編集開始位置情報により示される画像から編集終了位置情報により示される画像までの各画像に対応するデジタル画像データを外部に送信しているので、外部において当該画像ファイルのダビング及び当該画像ファイルにより示される画像の表示の少なくとも一方を実行することができる。
【０１６６】
また、本実施の形態に係るデジタルカメラ１０では、本発明の編集操作手段をレリーズボタン３０Ａと兼用するようにしたので、操作性が向上でき、かつ低コスト化できる。
【０１６７】
また、本実施の形態に係るデジタルカメラ１０では、本発明のズーム情報入力手段をズームボタン３０Ｃと兼用するようにしたので、操作性が向上でき、かつ低コスト化できる。
【０１６８】
更に、本実施の形態に係るデジタルカメラ１０では、画像ファイルのダビングの実行時に、当該画像ファイルのデジタル画像データから対応するズーム倍率で拡大又は縮小される領域の画像データであるズーム領域画像情報を切り出し、切り出したズーム領域画像情報に対して当該ズーム倍率での拡大又は縮小を行っているので、画像ファイルのダビングを外部装置で行う場合の当該外部装置に対する処理上の負荷を低減することができる。
【０１６９】
なお、本実施の形態では、デジタルカメラ１０において撮影により記録メディア２６に記録された画像ファイルを、クレードル６０を介してＰＣ８０に装着された外部メディア８２にダビングする場合について説明したが、本発明はこれに限定されるものではなく、例えば、図１３に示すように、デジタルカメラ１０をハードディスク装置、ＤＶＤドライブ装置、ＣＤ−Ｒドライブ装置等の外部記憶装置９２に直接接続し、外部記憶装置９２に設けられた記録メディアに直接ダビングする形態とすることもできる。この場合も、本実施の形態と同様の効果を奏することができる。
【０１７０】
また、本実施の形態では、編集開始位置情報、編集終了位置情報、ズーム位置情報、ズーム倍率情報等の各種編集情報を編集ファイルとして記録する場合について説明したが、本発明はこれに限定されるものではなく、例えば、編集対象とする画像ファイル内にタグ（Tag）として記録する形態とすることもできる。この場合は、記録メディア２６に編集ファイル記録領域２６Ｅを設ける必要がなくなる。この場合も、本実施の形態と同様の効果を奏することができる。
【０１７１】
また、本実施の形態では、編集開始位置情報、編集終了位置情報、ズーム開始位置情報、及びズーム終了位置情報の各情報を、画像ファイルにおける対応する位置の画像のフレーム番号として記録する場合について説明したが、本発明はこれに限定されるものではなく、例えば、当該画像ファイルを先頭画像から再生したときの再生開始時からの経過時間として記録する形態とすることもできる。この場合も、本実施の形態と同様の効果を奏することができる。
【０１７２】
また、本実施の形態では、本発明の倍率情報としてズーム倍率情報を適用した場合について説明したが、本発明はこれに限定されるものではなく、例えば、本実施の形態に係るトリミング情報に代えて、画像をズーム倍率情報により示される倍率で拡大又は縮小して得られた画像の４角点の座標を示す情報や、当該画像の対角線上の２角点の座標を示す情報を適用し、この情報を本発明の倍率情報とする形態とすることもできる。この場合は、ズーム倍率情報を記録しておく必要がなくなる。この場合も、本実施の形態と同様の効果を奏することができる。
【０１７３】
また、本実施の形態では、デジタルカメラ１０と外部装置とをＵＳＢにより接続する場合について説明したが、本発明はこれに限定されるものではなく、ＵＳＢ以外の有線通信（例えば、ＩＥＥＥ１３９４等）により接続する形態や、無線通信（例えば、ブルートゥース、ＩｒＤＡ等）により接続する形態とすることもできる。この場合も、本実施の形態と同様の効果を奏することができる。
【０１７４】
また、本実施の形態では、動画像に対して電子ズーム処理を施す場合について説明したが、本発明はこれに限定されるものではなく、静止画像に対して電子ズーム処理を施す形態とすることもできることは言うまでもない。この場合は、本実施の形態に係る画像編集処理に代えて、処理対象とする画像ファイルにより示される静止画像をＬＣＤ５０に表示した状態で、ズームボタン３０Ｃに対する操作によりズーム倍率を設定し、設定されたズーム倍率を示すズーム倍率情報を編集ファイルに記録する画像編集処理を適用する。この場合にも、簡易な操作で短時間に静止画像の画像ファイルの電子ズームを伴う複製作成及び表示の少なくとも一方を行うことができる。
【０１７５】
また、本実施の形態では、本発明の拡大倍率上限値として（１）式で示される拡大倍率上限値Ｃを適用した場合について説明したが、本発明はこれに限定されるものではなく、電子ズーム処理後の画像の画素数が比較的多い等の理由により、若干の画素補間処理を施しても電子ズーム処理後の画像の画質に大きな影響を及ぼさない場合等には、拡大倍率上限値として拡大倍率上限値Ｃより若干大きな値（例えば、拡大倍率上限値Ｃの２５％増の値）としてもよい。この場合は、許容される電子ズームの拡大倍率が大きくなり、電子ズームによる拡大の自由度を増すことができる。
【０１７６】
また、本実施の形態では、画像編集処理（図５参照）において編集位置情報、ズーム位置情報、及びズーム関連情報の各情報をユーザによる各種ボタン類の操作時に記録メディア２６に直接記録する場合について説明したが、本発明はこれに限定されるものではなく、例えば、ユーザによる各種ボタン類の操作時には、これらの各情報を一旦ＳＤＲＡＭ２２又はフラッシュメモリ２４に記憶し、ユーザによる記録メディア２６への記録の指示入力に応じて記録メディア２６に記録する形態とすることもできる。この場合も、本実施の形態と同様の効果を奏することができる。
【０１７７】
また、本実施の形態では、画像編集処理において処理対象とする動画像を実際の再生速度で再生した状態で編集ファイルに記録すべき各種情報を入力するための操作を行う場合について説明したが、本発明はこれに限定されるものではなく、例えば、処理対象とする動画像のコマ送り再生やコマ戻し再生を行った状態で当該操作を行う形態とすることもできる。この場合は、本実施の形態に比較して、より高精度に所望の画像位置を指定することができる。
【０１７８】
また、本実施の形態では、編集ファイルの更新については言及しなかったが、当該更新が行えることは言うまでもない。すなわち、編集ファイルが既に存在する画像ファイルが再び画像編集処理の処理対象とされた場合についてであるが、この場合は、当該画像編集処理においてユーザによる操作に応じて入力された編集位置情報、ズーム位置情報、及びズーム関連情報の各情報が既作成の編集ファイルの該当する記録領域に上書きされることになる。従って、この場合は、ダビング処理（図９参照）又は再生処理（図１１参照）の実行時には、最新の編集情報が優先的に適用されることになる。
【０１７９】
更に、本実施の形態において説明した各処理プログラムの処理の流れ（図５、図９、図１１参照）は一例であり、本発明の主旨を逸脱しない範囲内において適宜変更可能であることは言うまでもない。
【０１８０】
【発明の効果】
請求項１に記載の情報記録装置によれば、撮像手段として、当該撮像手段により生成された画像情報により示される画像の水平方向及び垂直方向の各画素数が表示手段による表示画素数より多いものを適用すると共に、画像情報の複製作成及び当該画像情報により示される画像の表示手段による表示の少なくとも一方の実行時に画像に対して施す電子ズームのズーム倍率を、撮像手段により生成された画像情報により示される画像の水平方向及び垂直方向の各画素数と、表示手段の水平方向及び垂直方向の各画素数との比に基づいて決定される拡大倍率上限値以下となるように制限しているので、表示画像の画質の劣化を防止することができる、という効果が得られる。
【０１８１】
また、請求項２に記載の情報記録装置によれば、表示手段により画像情報によって示される動画像が表示された状態で、当該画像情報の複製作成及び上記動画像の次回以降の表示手段による表示の少なくとも一方の実行時に上記動画像に対し電子ズームを施す場合において当該電子ズームを施したい画像が表示手段により表示されたときに操作されるズーム情報入力手段に対する操作に基づいて、電子ズームを施したい画像の画像情報における位置を示すズーム位置情報、及び当該画像に対するズーム倍率を示す倍率情報を記録すると共に、表示手段により上記動画像が表示された状態で、上記画像情報の複製作成及び上記動画像の次回以降の表示手段による表示の少なくとも一方の実行時における当該実行を開始したい画像が表示手段により表示されたときと、当該実行を終了したい画像が表示手段により表示されたときとに操作される編集操作手段に対する操作に基づいて、上記実行を開始したい画像の画像情報における位置を示す編集開始位置情報、及び上記実行を終了したい画像の画像情報における位置を示す編集終了位置情報を記録しているので、簡易な操作で短時間に動画像の画像情報における一部区間の電子ズームを伴う複製作成及び表示の少なくとも一方を行うことができる、という効果が得られる。
【０１８２】
更に、請求項３に記載の情報記録装置によれば、画像情報における編集開始位置情報により示される画像から編集終了位置情報により示される画像までの各画像に対応する画像情報を外部に送信しているので、外部において当該画像情報の複製作成及び当該画像情報により示される画像の表示の少なくとも一方を実行することができる、という効果が得られる。
【図面の簡単な説明】
【図１】（Ａ）は実施の形態に係るデジタルカメラ１０の外観を示す外観図であり、（Ｂ）はデジタルカメラ１０をクレードル６０を用いて外部装置と接続したときの状態を示す模式図である。
【図２】実施の形態に係るデジタルカメラ１０及びクレードル６０の電気系の構成を示すと共に、デジタルカメラ１０をクレードル６０に装着したときの電気的な接続状態を示すブロック図である。
【図３】実施の形態に係る記録メディア２６の記録領域の構成を示す模式図である。
【図４】実施の形態に係る編集ファイルの構成を示す模式図である。
【図５】実施の形態に係る画像編集処理プログラムの処理の流れを示すフローチャートである。
【図６】（Ａ）は実施の形態に係る編集画像選択メニューの表示状態を示す概略図であり、（Ｂ）は実施の形態に係る矢印の表示状態を示す概略図である。
【図７】実施の形態に係るデジタルカメラ１０において画質劣化が発生しない理由の説明に供する説明図である。
【図８】実施の形態に係る編集ファイルの説明に供する説明図である。
【図９】実施の形態に係るダビング処理プログラムの処理の流れを示すフローチャートである。
【図１０】実施の形態に係るダビング画像選択メニューの表示状態を示す概略図である。
【図１１】実施の形態に係る再生処理プログラムの処理の流れを示すフローチャートである。
【図１２】実施の形態に係る再生画像選択メニューの表示状態を示す概略図である。
【図１３】他の実施の形態を示すブロック図である。
【符号の説明】
１０    デジタルカメラ
１６    ＣＣＤ（撮像手段）
２６    記録メディア（記録手段）
２８    ＣＰＵ（制限手段及び情報記録手段）
３０Ａ    レリーズボタン（編集操作手段）
３０Ｂ    十字カーソルボタン
３０Ｃ    ズームボタン（ズーム情報入力手段）
３０Ｄ    再生スイッチ
３０Ｅ    撮影スイッチ
３２    ＵＳＢコントローラ（送信手段）
５０    液晶ディスプレイ（表示手段）
８０    パーソナル・コンピュータ
８２    外部メディア
【図１】
0004090254.tif 000003
【図２】
0004090254.tif 000004
【図３】
0004090254.tif 000005
【図４】
0004090254.tif 000006
【図５】
0004090254.tif 000007
【図６】
0004090254.tif 000008
【図７】
0004090254.tif 000009
【図８】
0004090254.tif 000010
【図９】
0004090254.tif 000011
【図１０】
0004090254.tif 000012
【図１１】
0004090254.tif 000013
【図１２】
0004090254.tif 000014
【図１３】
0004090254.tif 000015